(57)【要約】【課題】浴壁の種類及び浴槽上縁の大きさにかかわらず容易に設置可能な設置可能な浴水循環装置を提供する。【解決手段】浴水循環装置１１は浴水吸水口１３ａが形成されている吸上柱１３及び該吸上柱１３を下部に備えてなり浴水吸水口１３ａと連通される浴水吐出口１２ａを設けてなる循環装置本体１２から構成され、吸上柱１３に吸上モータを備えてなる。浴水循環装置１１は吸上柱１３が循環装置本体１２の底面前部に取り付けられるとともに循環装置本体１２の下部及び吸上柱１３の後部には浴水循環装置１１を浴槽上縁上に配置させるための配設手段としての第１吸盤及び第２吸盤２４がそれぞれ取り付けられている。【選択図】      図１
2006087621.tif 000002
【特許請求の範囲】
【請求項１】
浴水を吸水する吸水口が形成されている吸上柱及び該吸上柱を下部に備えてなり前記吸水口と通水路を介し連通される吐出口を設けてなる循環装置本体から構成され、前記吸上柱及び循環装置本体の少なくとも一方に吸水手段を備えてなる浴水循環装置において、
前記吸上柱は前記循環装置本体の前部に設けられ、前記循環装置本体の下部又は吸上柱の後部には浴槽の上縁上又はその近傍に配設させるための配設部又は配設手段が設けられている浴水循環装置。
【請求項２】
前記吸上柱が循環装置本体の左右方向の略中央部から下方に延出されることにより循環装置の全体形状を略Ｔ字状に構成した請求項１に記載の浴水循環装置。
【請求項３】
前記配設手段は、前記循環装置本体又は吸上柱に対し取り付け位置を調節可能に構成した請求項１又は請求項２に記載の浴水循環装置。
【請求項４】
前記循環装置本体は、前記吸水手段を稼動させるための充電用電池を装着する装着部を備え、該装着部は前記循環装置本体が浴槽の上縁上又はその近傍に配設された状態で充電用電池を着脱可能に構成されている請求項１から請求項３のうちいずれか一項に記載される浴水循環装置。
【発明の詳細な説明】
【技術分野】
【０００１】
本発明は、浴水循環装置に係り、詳しくは浴槽に配設され、浴水を循環する装置に関する。
【背景技術】
【０００２】
従来より、浴槽中の浴水を循環する装置として、特許文献１に記載される浴水循環装置が知られている。かかる浴水循環装置は、浴水を吸水する吸水管及び該吸水管に連通する吐出口を備えてなる循環装置本体から構成されている。吸水管の下端部には吸水用モータを内蔵するとともに吸水口にフィルタを備える吸水装置が取り付けられている。浴水は吸水装置の吸水口から吸水され、循環装置本体の吐出口から吐出される。浴水循環装置は、吸水装置の吸水口が浴水に届く高さ位置において、循環装置本体の背面に取り付けられている吸盤により浴壁に取り付けられる。
【特許文献１】実用新案登録第３０７９７００号公報
【発明の開示】
【発明が解決しようとする課題】
【０００３】
ところが、上記のように構成された浴水循環装置は、吸盤により浴壁に取り付ける構成であるため、凹凸を有する浴壁等、浴壁の種類によって取り付け・設置が困難な場合があった。また、浴槽の上縁により、浴壁に取付けられる循環装置本体と浴槽の浴水内に配される給水装置とを繋ぐ給水管をクランク状に加工しなければならない等の手間がかかった。さらに、浴槽の上縁の幅は浴槽の種類・大きさによって異なるため、上縁の幅が小さい場合はクランク状に加工された給水管が浴槽内側に入りすぎて入浴時に邪魔になるという問題があり、上縁の幅が大きい場合は浴槽内壁に給水管又は吸水装置が当接し、浴壁に循環装置本体の吸盤が届かないという問題があった。
【０００４】
本発明は、従来技術の上記問題を解決するためになされたもので、その目的は、浴壁の種類及び浴槽上縁の大きさにかかわらず容易に設置可能な浴水循環装置を提供することにある。
【課題を解決するための手段】
【０００５】
上記目的を達成するために、請求項１に記載の発明は、浴水を吸水する吸水口が形成されている吸上柱及び該吸上柱を下部に備えてなり前記吸水口と通水路を介し連通される吐出口を設けてなる循環装置本体から構成され、前記吸上柱及び循環装置本体の少なくとも一方に吸水手段を備えてなる浴水循環装置において、前記吸上柱は前記循環装置本体の前部に設けられ、前記循環装置本体の下部又は吸上柱の後部には浴槽の上縁上又はその近傍に配設させるための配設部又は配設手段が設けられていることを要旨とした。
【０００６】
請求項２に記載される発明は、請求項１に記載される発明において、吸上柱が循環装置本体の左右方向の略中央部から下方に延出されることにより循環装置の全体形状を略Ｔ字状に構成したことを要旨とした。
【０００７】
請求項３に記載される発明は、請求項１又は請求項２に記載される発明において、前記配設手段は、前記循環装置本体又は吸上柱に対し取り付け位置を調節可能に構成したことを要旨とした。
【０００８】
請求項４に記載される発明は、請求項１から請求項３のうちいずれか一項に記載される発明において、前記循環装置本体は、前記吸水手段を稼動させるための充電用電池を装着する装着部を備え、該装着部は前記循環装置本体が浴槽の上縁上又はその近傍に配設された状態で充電用電池を着脱可能に構成されていることを要旨とした。
【発明の効果】
【０００９】
本発明によれば、浴壁の種類及び浴槽上縁の大きさにかかわらず容易に設置可能な浴水循環装置を提供することができる。
【発明を実施するための最良の形態】
【００１０】
以下、本発明を浴水循環装置に具体化した一実施形態を図１〜図１１にしたがって説明する。
図１〜１０に示されるように、浴水循環装置１１は浴水を吐出する浴水吐出口１２ａを備えてなる循環装置本体１２及び浴水を吸水する浴水吸水口１３ａを備えてなる吸上柱１３により構成されている。吸上柱１３は浴水を吸い上げる吸水手段としての吸上モータ１４を備えてなる。浴水循環装置１１は、吸上柱１３が循環装置本体１２の底面前部に取り付けられるとともに循環装置本体１２の左右方向の中央部から下方に延出されることにより、正面からの形状が略Ｔ字状に構成されている。
【００１１】
循環装置本体１２は、合成樹脂により底面及び上面を有する筒状に成型され、軸方向に対する垂直断面が略楕円形状である。循環装置本体１２の前面中央部には浴水吐出口１２ａが形成されている。その浴水吐出口１２ａは循環装置本体１２の左右方向に切り込まれ、前方に突出される唇部１２ｂにより囲まれている。唇部１２ｂは表面が光触媒で被覆加工されている。循環装置本体１２の上面には左右方向の前方中央部において略四角形状の中央開口部１２ｃ及び右側に円形の右側開口部１２ｄが形成されている。中央開口部１２ｃには後方の左右隅を軸として回動によって開閉可能に構成されている蓋体１５が取り付けられている。右側開口部１２ｄは循環装置本体１２から着脱可能な蓋片１６が取り付けられている。
【００１２】
循環装置本体１２の背面上部には充電用電池装着部１２ｅが設けられ、該充電用電池装着部１２ｅには略長方形状の充電用電池１７が循環装置本体１２から着脱可能に取り付けられている。循環装置本体１２の底部中央には吸上柱１３から浴水を導入するための吸水口１２ｆ及び底部（下部）後方には循環装置本体１２を浴槽の上縁上に配置させるための配設手段としての第１吸盤１８が取り付けられている。図５，６に示されるように第１吸盤１８は循環装置本体１２の底面後方端部からさらに後方に延出される支持板１２ｇ及び該支持板１２ｇに対して前後方向にスライド移動可能に支持される板状可動部材１９を介し循環装置本体１２に取り付けられている。第１吸盤１８は板状可動部材１９の下面において吸面１８ａを下方に向けた状態で板状可動部材１９の左右端部にそれぞれ一つずつ取り付けられている。
【００１３】
循環装置本体１２の内部には、前方に濾材収容部１２ｈ、該濾材収容部１２ｈの後方に超音波ミスト発生器２０を備えてなるマイナスイオン発生部１２ｉ、正面右側に入浴用組成物を充填する充填部１２ｊ、正面左側に浴水循環装置１１の稼動を制御するための制御部２２が設けられている。
【００１４】
濾材収容部１２ｈは循環装置本体１２の前面内側に設けられ、浴水吐出口１２ａ、循環装置本体１２の中央開口部１２ｃ及び吸水口１２ｆと連通されている。循環装置本体１２の前面のうち浴水吐出口１２ａの上部且つ濾材収容部１２ｈと対向する部分は透明又は半透明板からなる透光部１２ｋが設けられている。濾材収容部１２ｈの後面上部にはマイナスイオン発生部１２ｉと連通されるマイナスイオン放出口１２ｌが設けられている。ところで、マイナスイオンは、活性イオンとも呼ばれ、老化やストレスの原因とされるプラスイオンを除去し、新陳代謝を活発にすることによって健康を保つことができると考えられている。マイナスイオンは、自然界においてトルマリン等の特定の原石又は水分がぶつかり合う滝等において発生することが知られている。
【００１５】
濾材収容部１２ｈの右側上部には切欠部１２ｍが形成されている。その切欠部１２ｍを介し濾材収容部１２ｈは充填部１２ｊ及びマイナスイオン発生部１２ｉとに通ずる通水部１２ｎと連通される。濾材収容部１２ｈには濾材を収容する収容体としての収容ケース２１が循環装置本体１２の中央開口部１２ｃから着脱可能に収められている。ここでの濾材は、例えば微量放射能を放出するラジウム原石、マイナスイオンを溶出するマイナスイオンセラミック、ミネラル分を溶出する化石サンゴや浴水中の塩素、重金属等の不純物を吸着する活性炭、ゼオライト等が使用され得る。収容ケース２１は図８に示されるように透明又は半透明の合成樹脂により、底面及び四方側面からなる箱状に成型されるとともに、該四方側面には略中央部から下方にかけて複数のスリット２１ａが等間隔で形成されている。収容ケース２１の上部には前面中央部と後面中央部を回動軸としてＵ字状の把持部２１ｂが取り付けられている。収容ケース２１は透光部１２ｋ及び収容ケース２１の前面を介して濾材を循環装置本体１２の外部から目視可能に収容する。さらに循環装置本体１２の上部に取り付けられている蓋体１５を開状態にした場合において、収容ケース２１は循環装置本体１２の中央開口部１２ｃを介し濾材を循環装置本体１２の外部から目視可能に収容する。特に、石状又は岩状の濾材を使用した場合に浴水に付与される直接的な効能のみならず、視覚的な温泉気分等の癒し効果、リラクゼーション効果を得ることができる。
【００１６】
充填部１２ｊは、筒状に成型されるとともに、上端部は循環装置本体１２の右側開口部１２ｄと連通されている。入浴用組成物は右側開口部１２ｄから充填部１２ｊ内に導入される。ここでの入浴用組成物は、芳香成分、着色成分、炭酸ガス等の発泡成分、殺菌成分、生薬等の薬用成分等の組成物が使用され得る。充填部１２ｊの周面には通水部１２ｎと連通される複数の通水口１２ｐが設けられている。
【００１７】
マイナスイオン発生部１２ｉは濾材収容部１２ｈの後方に設けられ、右側面に切欠部１２ｑが形成されている。その切欠部１２ｑを介しマイナスイオン発生部１２ｉは通水部１２ｎと連通されている。マイナスイオン発生部１２ｉの底面にはマイナスイオンミストを人工的に発生させる超音波ミスト発生器２０が配設されている。マイナスイオン発生部１２ｉには一定量以上の浴水を排出するための排水管２３が垂直に取り付けられている。排水管２３の下端開口部は吸上柱１３内に連通されている。マイナスイオン発生部１２ｉ内に浸入した浴水は一定量になると排水管２３の上端開口部２３ａから吸上柱１３内へと排出される。
【００１８】
制御部２２は、図示しない制御装置及び該制御装置を介して浴水循環装置１１を操作するための操作盤２２ａから構成されている。制御装置は、制御手段、吸上モータの稼動時間を記録する記録手段、及び吸上モータの負荷を検出する負荷検出手段から構成され、充電用電池１７、吸上モータ１４及び超音波ミスト発生器２０と連結されている。制御手段は記録手段、負荷検出手段及び操作盤２２ａに対し電気信号を入出力可能に構成されている。記録手段は吸上モータ１４の累積稼動時間をゼロからカウントするとともに累積稼動時間を制御手段に出力するよう構成されている。負荷検出手段は吸上モータ１４にかかる負荷を電圧により検出し、その検出値を制御手段に出力するよう構成されている。操作盤２２ａは吸上モータ１４用のＯＮ／ＯＦＦスイッチ２２ｂ、超音波ミスト発生器２０用のＯＮ／ＯＦＦスイッチ２２ｃ、記録手段用リセットボタン２２ｄ、濾材取替（又は洗浄）報知手段としての濾材用発光ダイオード２２ｅ、及び充電時期報知手段としての電池用発光ダイオード２２ｆが取り付けられている。記録手段用リセットボタン２２ｄを押すことにより、記録手段により記録された吸上モータ１４の累積稼動時間がゼロにリセットされる。超音波ミスト発生器２０は超音波ミスト発生器２０が浴水に満たされずに作動することを防止するため吸上モータ用のＯＮ／ＯＦＦスイッチ２２ｂがオフのときはオン操作できないように構成されている。
【００１９】
図９に示されるように、吸上柱１３は合成樹脂により筒状に成型され、下端面に浴水吸水口１３ａが設けられている。吸上柱１３の後方中央部には配設手段としての第２吸盤２４が吸面２４ａを後方に向けるように取り付けられている。吸上柱１３の内部に吸上モータ収容部２５が設けられている。浴水吸水口１３ａには毛髪、フケ等の不純物を取り除くための網状のフィルタ２６が取り付けられている。フィルタ２６は底面に通水孔１３ｃを有する筒状のフィルタ支持体１３ｂにより支持されている。フィルタ支持体１３ｂは吸上柱１３の下端部に螺着されている。
【００２０】
吸上モータ収容部２５は吸上柱１３の内周面に接するように卵型に成型され、下端部に浴水吸上口２５ａが形成されている。吸上モータ収容部２５の前上部には吐出パイプ２５ｂが一体形成されている。吐出パイプ２５ｂの上端部には吐出口２５ｃが設けられ、下端部の浴水吸上口２５ａと通水路２５ｄを介し連通されている。吸上モータ収容部２５の略中心部には回転軸を垂直方向にして吸上モータ１４が収容されている。その回転軸の下端部において浴水吸上口２５ａを閉口するように且つ浴水吸上口２５ａと吐出口２５ｃを繋ぐ通水路２５ｄ上において羽根車１４ａが取り付けられている。吐出口２５ｃは循環装置本体１２の吸水口１２ｆと通水路としての役目を有する連結パイプ２７を介し連結されている。
【００２１】
次に、本実施形態の浴水循環装置１１の作用を説明する。
まず、収容ケース２１に濾材２９を収容し、収容ケース２１を中央開口部１２ｃより濾材収容部１２ｈに装着する。右側開口部１２ｄより入浴用組成物を充填部１２ｊに適量充填する。浴水循環装置１１は図１１に示されるように循環装置本体１２が浴槽上縁上２８ａの角部（隅部）及び吸上柱１３が浴槽内の角部（隅部）にそれぞれ配設されることにより浴槽２８に設置される。循環装置本体１２の第１吸盤１８が浴槽上縁上２８ａ面及び吸上柱１３の第２吸盤２４が浴槽２８内の壁面に吸い付くことにより浴水循環装置１１は浴槽２８に固定される。このとき、図６に示されるように循環装置本体１２の第１吸盤１８が取り付けられている板状可動部材１９を支持板１２ｇに対し前後方向に相対移動させることにより第１吸盤１８の吸面１８ａが浴槽上縁上２８ａ面に位置するよう調節する。
【００２２】
吸上柱１３の浴水吸水口１３ａが浴水（浴湯）に満たされた状態で吸上モータ用のＯＮ／ＯＦＦスイッチ２２ｂをオン操作することにより、吸上モータ１４を稼動させる。そして羽根車１４ａの回転力により浴水が浴水吸上口２５ａ内に吸い上げられる。
【００２３】
浴水はフィルタ２６で毛髪等が濾過されながら吸上モータ収容部２５の浴水吸上口２５ａ、通水路２５ｄ及び吐出口２５ｃを順次通過し、連結パイプ２７を介して循環装置本体１２の吸水口１２ｆより循環装置本体１２内に導入される。循環装置本体１２内に導入された浴水は直接濾材収容部１２ｈ内に導入される。濾材収容部１２ｈ内に導入された浴水は収容ケース２１のスリット２１ａから収容ケース２１内に導入され、濾材２９成分の溶出が行なわれた後、浴水吐出口１２ａの唇部１２ｂから滝のように吐出されて浴槽２８内に戻される。浴水吐出口１２ａから吐出される浴水は吸上モータ１４により吸い上げられる浴水よりも少なく設定されている。そのため、循環装置本体１２の吸水口１２ｆから濾材収容部１２ｈ内に導入される浴水の一部は切欠部１２ｍより通水部１２ｎへ流入する。通水部１２ｎに流入した浴水は充填部１２ｊの通水口１２ｐから充填部１２ｊ内に導入される。充填部１２ｊ内に導入された浴水は入浴用組成物を溶解した後、通水口１２ｐより通水部１２ｎへ拡散しながらマイナスイオン発生部１２ｉの切欠部１２ｑよりマイナスイオン発生部１２ｉ内に浸入される。マイナスイオン発生部１２ｉ内において浴水の上面が排水管２３の上端部の高さに至ると浴水は排水管２３の上端開口部２３ａより吸上柱１３内に排水される。吸上柱１３内に排出された浴水は再度浴水吸上口２５ａ内から吸水・循環される。浴槽２８内の浴水は浴水循環装置１１内を上述の通水経路を通水されながら循環される。
【００２４】
次に蓋体１５を開状態にするとともに吸上モータ用のＯＮ／ＯＦＦスイッチ２２ｂをオンにした状態で、超音波ミスト発生器用のＯＮ／ＯＦＦスイッチ２２ｃをオン操作する。すると、超音波ミスト発生器２０が動作し、霧状（ミスト状）のマイナスイオンがマイナスイオン放出口１２ｌより浴室内に放出される。
【００２５】
濾材用発光ダイオード２２ｅは吸上モータ用のＯＮ／ＯＦＦスイッチ２２ｂをオンにした状態で濾材２９の取り替え時期になると発光される。つまり、記録手段が吸上モータ１４の稼動時間をゼロからカウントするとともに、累積稼動時間を制御手段に出力する。そして、累積稼動時間が制御手段に予め設定されている数値以上になると制御手段は濾材用発光ダイオード２２ｅに電気信号を出力し、濾材用発光ダイオード２２ｅは発光される。その場合、使用者は濾材収容部１２ｈから把持部２１ｂを利用して収容ケース２１を取り出し、収容ケース２１内の濾材２９を洗浄又は取り替える。濾材２９が再充填された収容ケース２１は濾材収容部１２ｈに再装着される。その際、記録手段用リセットボタン２２ｄを押すことにより記録手段に記録されている吸上モータ１４の累積稼動時間数はゼロにリセットされるとともに濾材用発光ダイオード２２ｅは消光される。
【００２６】
負荷検出手段は吸上モータ用のＯＮ／ＯＦＦスイッチ２２ｂがオンの状態において吸上モータ１４の負荷を電圧により検出しながら、制御手段に該検出値を出力する。例えば、浴水の上面が浴水吸水口１３ａの位置を下回り吸上モータ１４にかかる負荷が低下することにより検出値が制御手段に予め設定されている値以下になると、制御手段は吸上モータ１４を停止させる。
【００２７】
充電用電池１７の出力が、制御手段に予め設定されている値以下になると電池用発光ダイオード２２ｆが発光される。その場合、充電用電池１７は循環装置本体１２が浴槽上縁上２８ａに配設された状態で充電用電池装着部１２ｅから取り外され、図示しない充電装置により充電される。再充電された充電用電池１７が充電用電池装着部１２ｅに取り付けられると電池用発光ダイオード２２ｆは消光される。また、フィルタ２６を交換・洗浄する場合においても、循環装置本体１２が浴槽上縁上２８ａに配設された状態でフィルタ支持体１３ｂを吸上柱１３から取り外し、フィルタ２６を交換・洗浄する。
【００２８】
本実施形態の浴水循環装置１１によれば、以下のような効果を得ることができる。
（１）本実施形態では、吸上柱１３が循環装置本体１２の底面前部に取り付けられている。したがって、凹凸を有する浴壁等、浴壁の種類及び浴槽上縁の大きさにかかわらず容易に浴水循環装置１１を浴室に設置することができる。また、浴槽上縁上２８ａの何れの場所にも配設させることができる。
【００２９】
（２）本実施形態では、循環装置本体１２の下部及び吸上柱１３の後部において浴水循環装置１１を浴槽上縁上２８ａ又は浴槽内面（浴槽近傍）に配置させるための配設手段としての第１吸盤１８及び第２吸盤２４をそれぞれ取り付けた。したがって、浴水循環装置１１は浴槽上縁上２８ａにおいて安定且つ確実に配置・固定される。
【００３０】
（３）本実施形態では、浴水循環装置１１は吸上柱１３が循環装置本体１２の底面前部に取り付けられるとともに循環装置本体１２の左右方向の中央部から下方に延出されることにより、正面からの形状を略Ｔ字状に構成した。したがって、浴水循環装置１１が浴槽上縁上２８ａの角部に配設された場合に循環装置本体１２の左右端部が浴槽外方へ移動するため循環装置本体１２が大きく浴槽２８内に出っ張ることなく入浴時において浴水循環装置１１が邪魔にならない。
【００３１】
（４）本実施形態では、第１吸盤１８は循環装置本体１２の底面後方端部よりさらに後方に延出される支持板１２ｇ及び該支持板１２ｇに対して前後方向にスライド移動可能に支持される板状可動部材１９により、循環装置本体１２に対し取り付け位置を調節可能に構成される。したがって、浴槽の上縁の大きさ・形状に合わせ第１吸盤１８の位置を最適位置に調節することにより、浴水循環装置１１を一層安定且つ確実に浴槽上縁上２８ａに配設することができる。
【００３２】
（５）本実施形態では、循環装置本体１２には吸上モータ１４等を稼動させるための充電用電池１７を装着する充電用電池装着部１２ｅを備え、充電用電池装着部１２ｅは循環装置本体１２が浴槽上縁上２８ａに配置された状態で充電用電池１７を着脱可能に構成した。したがって、配線コード等が入浴時に邪魔になる等の問題が生じない。また、電源との距離を考慮して浴水循環装置１１の配置場所を検討する必要がない。また、充電用電池１７を取り外す際に浴水循環装置１１を移動・分解等する必要がなく、常に浴水循環装置１１を安定状態に保つことができる。
【００３３】
（６）本実施形態では、循環装置本体１２の背面上部に充電用電池装着部１２ｅを設けるとともに第１吸盤１８を支持板１２ｇ及び板状可動部材１９を介し循環装置本体１２に取り付けた。したがって、浴槽２８と充電用電池１７との距離を離すことにより漏電を防止することができる。
【００３４】
（７）本実施形態では、フィルタ２６は底面に通水孔１３ｃを有する筒状のフィルタ支持体１３ｂにより支持され、フィルタ支持体１３ｂは吸上柱１３の下端部に螺着されている。したがって、フィルタ２６を取り外す際に浴水循環装置１１を移動・分解等する必要がなく、常に浴水循環装置１１を安定状態に保つことができる。
【００３５】
（８）本実施形態では、浴水吐出口１２ａの唇部１２ｂより浴水が滝のように吐出する。したがって、温泉気分等の癒し効果、リラクゼーション効果を視覚的・聴覚的に得ることができる。
【００３６】
なお、上記実施形態は以下のように変更してもよい。
・浴水循環装置１１は濾材収容部１２ｈ、マイナスイオン発生部１２ｉ、充填部１２ｊを省略して構成されてもよい。
【００３７】
・第１吸盤１８及び第２吸盤２４の取り付け個数は特に制限されない。
・上記実施形態では、配設手段として吸盤を使用した。しかしながら、配設手段は吸盤でなくてもよく、クランプ、粘着テープ、磁石、接着剤等を使用して浴水循環装置１１を浴槽に固定してもよい。
【００３８】
・浴水循環装置１１は全体形状を略Ｔ字状に構成した。しかしながら、浴水循環装置１１の全体形状は略Ｔ字状でなくてもよく、円柱状、長方形状等であってもよい。
・上記実施形態では、吸上柱１３を循環装置本体１２の底面前部に取り付けた。しかしながら、吸上柱１３の取り付け位置は底面前部に限定されるものではなく、循環装置本体１２の前部に設ける構成であればよく、例えば吸上柱が循環装置本体１２の前面下部から突出して下方に湾曲して延出される構成でもよい。
【００３９】
・循環装置本体１２の軸方向に対する垂直断面を浴槽上縁上２８ａの角部に合わせ、くの字状に湾曲成形させてもよい。かかる構成によれば、浴壁との干渉、入浴時における衝突等が生じにくい。そのため一層安定に浴槽上縁上の角部に配設させることができる。
【００４０】
・浴水循環装置１１は浴槽上縁上２８ａの角部に配置した。しかしながら、角部でなくてもよく、浴槽上縁上２８ａの何れに配置してもよい。また、浴槽に隣接する窓枠、棚等の浴槽上縁上近傍の平面部を利用して、浴水循環装置１１を配置してもよい。
【００４１】
・上記実施形態では、配設手段としての第１吸盤１８及び第２吸盤２４を浴水循環装置１１に取り付けた。しかしながら、第１吸盤１８及び第２吸盤２４を取り外し、循環装置本体１２の底面（配設部）又は吸上柱１３の背面（配設部）を直接浴槽上縁上２８ａに接触させることにより、浴水循環装置１１を配設させてもよい。かかる構成にしても凹凸を有する浴壁等、浴壁の種類及び浴槽上縁の大きさにかかわらず容易に浴水循環装置１１を設置させることができる。
【００４２】
・吸上柱１３の後部から後方に伸びる水平板等の下面（配設部に相当）を浴槽上縁上２８ａに接触させることにより浴水循環装置１１を配設させてもよい。
・吸上柱１３の第２吸盤のみにより浴槽内面（浴槽上縁上近傍）に浴水循環装置１１を配設させてもよい。
【００４３】
・吸上柱１３は循環装置本体１２に対し、軸方向に回動可能に取り付けられていてもよい。
・唇部を伸縮自在に構成してもよい。
【００４４】
・吸上モータ１４は循環装置本体１２に設けられてもよい。
次に、上記実施形態及び別例から把握できる技術的思想について、それらの効果とともに以下に追記する。
【００４５】
（ａ）前記充電用電池の充電時期を知らせる報知手段を備えた浴水循環装置。従って、この（ａ）に記載の発明によれば、容易に充電時期を知ることができる。
（ｂ）前記吸上柱を円筒形状にした浴水循環装置。この（ｂ）に記載の発明によれば、浴水循環装置を浴槽上縁上の角部に配置した場合に、吸上柱外周面の曲面が浴槽内面の隅部の曲面に略一致するため浴水循環装を一層安定に角部に配置することができる。また、入浴時に吸上柱が浴槽内において邪魔になりにくい。
【００４６】
（ｃ）前記循環装置本体を略筒状に構成した浴水循環装置。この（ｃ）に記載の発明によれば、循環装置本体の一部が浴槽枠外へ出っ張りにくいため浴壁との干渉、入浴時における衝突等が生じにくい。そのため一層安定に浴槽上縁上の角部に配設させることができる。
【図面の簡単な説明】
【００４７】
【図１】本実施形態における浴水循環装置の斜視図。
【図２】本実施形態における浴水循環装置の正面図。
【図３】本実施形態における浴水循環装置の背面図。
【図４】本実施形態における浴水循環装置の平面図。
【図５】本実施形態における浴水循環装置の底面図。
【図６】本実施形態における浴水循環装置の左側面図。
【図７】本実施形態における蓋体を開けた状態における浴水循環装置の斜視図。
【図８】本実施形態における浴水循環装置の分解斜視図。
【図９】本実施形態における浴水循環装置のＡ−Ａ断面図。
【図１０】本実施形態における浴水循環装置の循環装置本体の上面を取り除いた場合における平面図。
【図１１】本実施形態における浴水循環装置の使用状態を示す図。
【符号の説明】
【００４８】
１１…浴水循環装置、１２…循環装置本体、１２ａ…浴水吐出口、１２ｅ…充電用電池装着部、１３…吸上柱、１３ａ…浴水吸水口、１４…吸水手段としての吸上モータ、１７…充電用電池、１８…配設手段としての第１吸盤、１９…板状可動部材、２４…配設手段としての第２吸盤、２８ａ…浴槽上縁上。
【図１】
2006087621.tif 000003
【図２】
2006087621.tif 000004
【図３】
2006087621.tif 000005
【図４】
2006087621.tif 000006
【図５】
2006087621.tif 000007
【図６】
2006087621.tif 000008
【図７】
2006087621.tif 000009
【図８】
2006087621.tif 000010
【図９】
2006087621.tif 000011
【図１０】
2006087621.tif 000012
【図１１】
2006087621.tif 000013
【手続補正書】
【提出日】平成16年11月22日(2004.11.22)
【手続補正１】
【補正対象書類名】特許請求の範囲
【補正対象項目名】全文
【補正方法】変更
【補正の内容】
【特許請求の範囲】
【請求項１】
吸い上げた浴水を浴槽へと吐出流下させる吐出口を備えた循環装置本体とその底面又は前下部から下方に伸びる浴水吸上柱より構成し、前記循環装置本体又は浴水吸上柱の少なくとも一方にはモータ駆動される吸水手段を備えてなる浴水循環装置。
【請求項２】
前記循環装置本体の底面を浴槽上縁に対する配置面とした請求項１に記載の浴水循環装置。
【請求項３】
前記循環装置本体の底面及び浴水吸上柱の背部の少なくとも一方に浴槽上縁上又はその近傍への取付手段を設けた請求項１に記載の浴水循環装置。
【請求項４】
前記取付手段は、前記循環装置本体又は浴水吸上柱に対し取り付け位置を調節可能に構成した請求項３に記載の浴水循環装置。
【請求項５】
前記浴水吸上柱が前記循環装置本体の左右方向の略中央部から下方に延出されることにより循環装置の全体形状を略Ｔ字状に構成した請求項１から請求項４のうちいずれか一項に記載の浴水循環装置。
【請求項６】
前記循環装置本体は、前記吸水手段を稼動させるための充電用電池を装着する装着部を備え、該装着部は前記循環装置本体が浴槽の上縁上又はその近傍に配置された状態で充電用電池を着脱可能に構成されている請求項１から請求項５のうちいずれか一項に記載される浴水循環装置。
【手続補正２】
【補正対象書類名】明細書
【補正対象項目名】０００５
【補正方法】変更
【補正の内容】
【０００５】
上記目的を達成するために、請求項１に記載の発明は、吸い上げた浴水を浴槽へと吐出流下させる吐出口を備えた循環装置本体とその底面又は前下部から下方に伸びる浴水吸上柱より構成し、前記循環装置本体又は浴水吸上柱の少なくとも一方にはモータ駆動される吸水手段を備えてなることを要旨とした。
【手続補正３】
【補正対象書類名】明細書
【補正対象項目名】０００６
【補正方法】変更
【補正の内容】
【０００６】
請求項２に記載される発明は、請求項１に記載される発明において、前記循環装置本体の底面を浴槽上縁に対する配置面としたことを要旨とした。
【手続補正４】
【補正対象書類名】明細書
【補正対象項目名】０００７
【補正方法】変更
【補正の内容】
【０００７】
請求項３に記載される発明は、請求項１に記載される発明において、前記循環装置本体の底面及び浴水吸上柱の背部の少なくとも一方に浴槽上縁上又はその近傍への取付手段を設けたことを要旨とした。
【手続補正５】
【補正対象書類名】明細書
【補正対象項目名】０００８
【補正方法】変更
【補正の内容】
【０００８】
請求項４に記載される発明は、請求項３に記載される発明において、前記取付手段は、前記循環装置本体又は浴水吸上柱に対し取り付け位置を調節可能に構成したことを要旨とした。
請求項５に記載される発明は、請求項１から請求項４のうちいずれか一項に記載される浴水循環装置において、前記浴水吸上柱が前記循環装置本体の左右方向の略中央部から下方に延出されることにより循環装置の全体形状を略Ｔ字状に構成したことを要旨とした。
請求項６に記載される発明は、請求項１から請求項５のうちいずれか一項に記載される浴水循環装置において、前記循環装置本体は、前記吸水手段を稼動させるための充電用電池を装着する装着部を備え、該装着部は前記循環装置本体が浴槽の上縁上又はその近傍に配置された状態で充電用電池を着脱可能に構成されていることを要旨とした。